(57)【要約】【課題】電源装置の組み立ておよび分解を容易に実施できるプロジェクタを提供する。【解決手段】プロジェクタ１の電源装置５は、電子回路モジュール５Ａおよび電源用筐体５３を備える。電源用筐体５３は、板状の基部５３１と、基部５３１の板面から立設する第２の側壁部５３２２、第３の側壁部５３２３および支持受け部５３２４とを備える。第２の側壁部５３２２には、プリント配線基板５２２の−Ｚ軸方向端部を嵌合可能とする一対の突起部５３２２Ａが形成されている。第３の側壁部５３２３には、爪部５３２３Ｂが形成されている。爪部５３２３Ｂは、基端部分が可撓性を有し先端部分が第２の側壁部５３２２に対して近接隔離可能に構成され、電源用筐体５３に対して電子回路モジュール５Ａが収納配置された状態で、プリント配線基板５２２に当接してプリント配線基板５２２における＋Ｚ軸方向端部の空間Ａｒ１から離間する方向の移動を規制する。【選択図】図６
2008191271.tif 000002
【特許請求の範囲】
【請求項１】
光源装置と、前記光源装置から射出された光束を画像情報に応じて変調する光変調装置と、前記光変調装置にて変調された光束を拡大投射する投射光学装置と、各構成要素に電力を供給する電源装置とを備えたプロジェクタであって、
前記電源装置は、
複数の回路素子、および前記複数の回路素子が実装されたプリント配線基板を有する電子回路モジュールと、
前記電子回路モジュールを収納配置する電源用筐体とを備え、
前記電源用筐体は、
板状の基部と、
前記基部の板面から互いに対向して立設し、前記プリント配線基板の一方の面が前記基部の板面に対向する状態で前記基部とで囲まれる空間に前記電子回路モジュールを収納配置可能とする一対の側壁部と、
前記基部の板面から立設し、前記プリント配線基板の一方の面に当接して前記電子回路モジュールを支持する支持受け部とを備え、
前記一対の側壁部のうちいずれか一方の側壁部には、他方の側壁部に対向する端面から突出し、前記プリント配線基板の側端部を嵌合可能とする一対の突起部が形成され、
前記一対の側壁部のうちいずれか他方の側壁部には、前記基部の板面に略直交する方向に突出し、突出方向先端部分が前記一方の側壁部に向けて屈曲する爪部が形成され、
前記爪部は、基端部分が可撓性を有し先端部分が前記一方の側壁部に対して近接隔離可能に構成され、前記電源用筐体に対して前記電子回路モジュールが収納配置された状態で、前記プリント配線基板の他方の面に当接して前記プリント配線基板における前記一対の突起部に嵌合された側端部に対向する側端部の前記空間から離間する方向への移動を規制することを特徴とするプロジェクタ。
【請求項２】
請求項１に記載のプロジェクタにおいて、
前記爪部には、前記空間への前記電子回路モジュールの収納時に前記プリント配線基板に当接し、前記空間への前記電子回路モジュールの収納方向に向かうにしたがって次第に前記一方の側壁部に近接するように傾斜した傾斜面が形成されていることを特徴とするプロジェクタ。
【請求項３】
請求項１または請求項２に記載のプロジェクタにおいて、
前記電子回路モジュールは、前記光源装置を駆動する光源駆動回路基板と、前記光源駆動回路基板を含む各構成要素に電力を供給する電源回路基板との２体で構成され、
前記一対の側壁部は、
前記電子回路モジュールに対応して、前記基部の一方の板面から立設し前記光源駆動回路基板を収納配置可能とする一対の光源駆動回路用側壁部と、前記基部の他方の板面から立設し前記電源回路基板を収納配置可能とする一対の電源回路用側壁部とを備え、
前記支持受け部は、
前記電子回路モジュールに対応して、前記基部の一方の板面から立設し前記光源駆動回路基板を支持する光源駆動回路用支持受け部と、前記基部の他方の板面から立設し前記電源回路基板を支持する電源回路用支持受け部とを備えていることを特徴とするプロジェクタ。
【請求項４】
請求項３に記載のプロジェクタにおいて、
前記電源用筐体は、
前記基部の側端部を跨るように冷却ファンを固定可能とし、前記冷却ファンから吐出された空気を前記基部の一方の板面側および他方の板面側に導入するための空気導入部を備えていることを特徴とするプロジェクタ。
【請求項５】
請求項１から請求項４のいずれかに記載のプロジェクタにおいて、
前記電源用筐体は、
前記複数の回路素子のうち所定の回路素子近傍を流通する空気の温度を検出するためのサーミスタを固定可能とするサーミスタ固定部を備えていることを特徴とするプロジェクタ。
【請求項６】
請求項５に記載のプロジェクタにおいて、
前記サーミスタ固定部は、前記所定の回路素子近傍を流通する空気の流通方向に対して傾斜した傾斜部を有し、前記傾斜部に前記サーミスタを固定可能とすることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調する光変調装置と、光変調装置にて変調された光束を拡大投射する投射光学装置とを備えたプロジェクタが知られている。
このようなプロジェクタでは、一般的に、プリント配線基板上に複数の回路素子が実装された構成を有し、プロジェクタ内部の各構成要素（光源装置や制御基板等）に電力を供給する電源装置を備えている。また、電源装置は、プリント配線基板や回路素子を効果的に冷却するために、これらプリント配線基板および複数の回路素子の周囲を筒部材により覆い、筒部材内部に空気を送風する構造が多く採用される（例えば、特許文献１参照）。
また、一般的に、筒部材に対して、複数の回路素子が実装されたプリント配線基板を設置する際には、プリント配線基板および筒部材をねじにより固定する構造が多く採用される。
【０００３】
【特許文献１】特開２００３−２１５７００号公報
【発明の開示】
【発明が解決しようとする課題】
【０００４】
しかしながら、従来のようなねじを用いた固定構造を採用した場合には、電源装置を組み立てる際や、電源装置を分解する際に、ねじを取り付ける作業やねじを取り外す作業が生じ、作業者に煩雑な作業を実施させることとなる。
このため、電源装置の組み立ておよび分解を容易に実施できる技術が要望されている。
【０００５】
本発明の目的は、電源装置の組み立ておよび分解を容易に実施できるプロジェクタを提供することにある。
【課題を解決するための手段】
【０００６】
本発明のプロジェクタは、光源装置と、前記光源装置から射出された光束を画像情報に応じて変調する光変調装置と、前記光変調装置にて変調された光束を拡大投射する投射光学装置と、各構成要素に電力を供給する電源装置とを備えたプロジェクタであって、前記電源装置は、複数の回路素子、および前記複数の回路素子が実装されたプリント配線基板を有する電子回路モジュールと、前記電子回路モジュールを収納配置する電源用筐体とを備え、前記電源用筐体は、板状の基部と、前記基部の板面から互いに対向して立設し、前記プリント配線基板の一方の面が前記基部の板面に対向する状態で前記基部とで囲まれる空間に前記電子回路モジュールを収納配置可能とする一対の側壁部と、前記基部の板面から立設し、前記プリント配線基板の一方の面に当接して前記電子回路モジュールを支持する支持受け部とを備え、前記一対の側壁部のうちいずれか一方の側壁部には、他方の側壁部に対向する端面から突出し、前記プリント配線基板の側端部を嵌合可能とする一対の突起部が形成され、前記一対の側壁部のうちいずれか他方の側壁部には、前記基部の板面に略直交する方向に突出し、突出方向先端部分が前記一方の側端部に向けて屈曲する爪部が形成され、前記爪部は、基端部分が可撓性を有し先端部分が前記一方の側壁部に対して近接隔離可能に構成され、前記電源用筐体に対して前記電子回路モジュールが収納配置された状態で、前記プリント配線基板の他方の面に当接して前記プリント配線基板における前記一対の突起部に嵌合された側端部に対向する側端部の前記空間から離間する方向への移動を規制することを特徴とする。
【０００７】
ここで、電子回路モジュールとしては、１つのプリント配線基板上に複数の回路素子を実装して光源駆動回路基板および電源回路基板の機能を単体で構成してもよく、あるいは、２つのプリント配線基板上にそれぞれ複数の回路素子を実装して光源駆動回路基板と電源回路基板との２体で構成しても構わない。
本発明では、プロジェクタを構成する電源装置において、電子回路モジュールを収納配置する電源用筐体は、基部と、一対の側壁部と、支持受け部とを備えている。そして、一対の側壁部には、一対の突起部と、爪部とが形成されている。このことにより、作業者は、例えば、以下に示すように、電源装置を組み立てることができる。
先ず、作業者は、電子回路モジュールを基部および一対の側壁部で囲まれる空間に挿入し、電子回路モジュールを構成するプリント配線基板の側端部を一対の突起部に嵌合する。
次に、作業者は、爪部の基端部分を撓ませてプリント配線基板から離間する方向に爪部の先端部分を移動させ、プリント配線基板の一方の面を支持受け部に当接する。そして、作業者は、爪部を初期状態に戻す（基端部分が撓んだ状態を元に戻す）ことで、プリント配線基板における一対の突起部に嵌合された側端部に対向する側端部の前記空間から離間する方向の移動が爪部により規制される。すなわち、電子回路モジュールは、一対の突起部、爪部、および支持受け部により電源用筐体に固定される。
なお、電源装置を分解する際には、上記と逆の作業を実施する。
【０００８】
以上のように、本発明によれば、電源用筐体に一対の突起部、爪部、および支持受け部を形成することで、従来のようにねじ等の固定部材を用いることなく、電源用筐体に対して電子回路モジュールを固定することができ、簡単な構成で電源装置の組み立ておよび分解を容易に実施できる。
【０００９】
本発明のプロジェクタでは、前記爪部には、前記空間への前記電子回路モジュールの収納時に前記プリント配線基板に当接し、前記空間への前記電子回路モジュールの収納方向に向かうにしたがって次第に前記一方の側壁部に近接するように傾斜した傾斜面が形成されていることが好ましい。
本発明では、爪部には、電子回路モジュールの収納方向に向かうにしたがって次第に一方の側壁部に近接するように傾斜した傾斜面が形成されている。このことにより、作業者は、以下に示すように、電源装置を組み立てることができる。
すなわち、作業者は、電子回路モジュールを構成するプリント配線基板の側端部を一対の突起部に嵌合した後、プリント配線基板における一対の突起部に嵌合された側端部に対向する側端部側を爪部の傾斜面に当接する。そして、作業者は、プリント配線基板における一対の突起部に嵌合された側端部に対向する側端部側を収納方向に押圧する。ここで、爪部は、傾斜面が上述したように傾斜しているため、プリント配線基板による押圧を受けることで、基端部分が撓みながらプリント配線基板から離間する方向に先端部分が移動する。また、爪部は、先端部分がプリント配線基板から離間する方向に移動した結果、傾斜面とプリント配線基板との当接状態が解除されると、再度、初期状態に戻る。
以上のように、爪部に傾斜面を形成しておくことで、作業者は、プリント配線基板を押圧するだけで爪部に触れることなく爪部の先端部分を移動させ、電源用筐体に対して電子回路モジュールを設置できる。このため、電源装置を組み立てる作業効率をより向上させることができる。
【００１０】
本発明のプロジェクタでは、前記電子回路モジュールは、前記光源装置を駆動する光源駆動回路基板と、前記光源駆動回路基板を含む各構成要素に電力を供給する電源回路基板との２体で構成され、前記一対の側壁部は、前記電子回路モジュールに対応して、前記基部の一方の板面から立設し前記光源駆動回路基板を収納配置可能とする一対の光源駆動回路用側壁部と、前記基部の他方の板面から立設し前記電源回路基板を収納配置可能とする一対の電源回路用側壁部とを備え、前記支持受け部は、前記電子回路モジュールに対応して、前記基部の一方の板面から立設し前記光源駆動回路基板を支持する光源駆動回路用支持受け部と、前記基部の他方の板面から立設し前記電源回路基板を支持する電源回路用支持受け部とを備えていることが好ましい。
【００１１】
本発明では、電子回路モジュールは、光源駆動回路基板および電源回路基板の２体で構成され、一対の側壁部および支持受け部も電子回路モジュールに対応して設けられている。そして、一対の側壁部（一対の光源駆動回路用側壁部、一対の電源回路用側壁部）および支持受け部（光源駆動回路用支持受け部、電源回路用支持受け部）は、基部の各板面にそれぞれ形成されている。このことにより、光源駆動回路基板および電源回路基板は、基部を挟んで積層された状態で電源用筐体に設置されることとなる。このため、光源駆動回路基板および電源回路基板に対応して、２つの電源用筐体を設ける必要がなく、単体の電源用筐体に光源駆動回路基板および電源回路基板を収納配置できる。また、単体の電源用筐体に光源駆動回路基板および電源回路基板を積層した状態で収納配置できるため、電源装置の小型化が図れる。
【００１２】
本発明のプロジェクタでは、前記電源用筐体は、前記基部の側端部を跨るように冷却ファンを固定可能とし、前記冷却ファンから吐出された空気を前記基部の一方の板面側および他方の板面側に導入するための空気導入部を備えていることが好ましい。
本発明によれば、電源用筐体は、基部の側端部を跨るように冷却ファンを固定可能とする空気導入部を備えているので、冷却ファンから吐出された空気を基部の一方の板面側に配設される光源駆動回路基板、および基部の他方の板面側に配設される電源回路基板の双方に送風でき、電子回路モジュールを効率的に冷却できる。
【００１３】
本発明のプロジェクタでは、前記電源用筐体は、前記複数の回路素子のうち所定の回路素子近傍を流通する空気の温度を検出するためのサーミスタを固定可能とするサーミスタ固定部を備えていることが好ましい。
ところで、電子回路モジュールを構成する所定の回路素子の温度（回路素子近傍を流通する空気の温度）を検出し、検出した温度に応じて所定の制御を実施する場合には、プリント配線基板において、前記所定の回路素子近傍にサーミスタを実装することが考えられる。しかしながら、電子回路モジュール周囲を流通する空気の流通状態を考慮しながら、プリント配線基板に複数の回路素子およびサーミスタを実装することは難しく、電子回路モジュールの設計の自由度を低減させてしまう。
本発明では、電源用筐体は、サーミスタを固定するためのサーミスタ固定部を備えている。このことにより、プリント配線基板にサーミスタを実装する必要がないため、電子回路モジュールの設計の自由度を低減させることがない。
【００１４】
本発明のプロジェクタでは、前記サーミスタ固定部は、前記所定の回路素子近傍を流通する空気の流通方向に対して傾斜した傾斜部を有し、前記傾斜部に前記サーミスタを固定可能とすることが好ましい。
本発明では、サーミスタ固定部は、傾斜部を有し、該傾斜部にサーミスタが固定される。このことにより、サーミスタは、検出対象とする所定の回路素子近傍を流通する空気の流通方向に対して傾斜した状態で設置されることとなる。このため、サーミスタの特性上、例えば前記空気の流通方向に略平行にサーミスタを固定する構成ではサーミスタにて空気の温度検出が困難なものとなるところ、サーミスタを前記空気の流通方向に対して傾けることでサーミスタにて空気の温度検出を良好に実施させることができる。
【発明を実施するための最良の形態】
【００１５】
以下、本発明の実施の一形態を図面に基づいて説明する。
〔プロジェクタの概略構成〕
図１は、プロジェクタ１の概略構成を模式的に示す図である。
なお、図１では、説明の便宜上、プロジェクタ１からの光束の投射方向をＺ軸とし、該Ｚ軸に直交する２軸をそれぞれＸ軸（水平軸）およびＹ軸（垂直軸）とする。以下の図面も同様である。
プロジェクタ１は、光源から射出される光束を画像情報に応じて変調してカラー画像（画像光）を形成し、このカラー画像をスクリーン（図示略）上に拡大投射するものである。このプロジェクタ１は、図１に示すように、略直方体状の外装筐体２と、投射光学装置としての投射レンズ３と、光学ユニット４と、電源装置５等を備える。
なお、図１において、具体的な図示は省略したが、外装筐体２内において、投射レンズ３、光学ユニット４、および電源装置５以外の空間には、プロジェクタ１内部の各構成部材を冷却する冷却ファン等を備えた冷却ユニット、およびプロジェクタ１内部の各構成部材を制御する制御装置等が配置されるものとする。
【００１６】
外装筺体２は、射出成型等による合成樹脂製品であり、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
なお、外装筺体２は、合成樹脂製に限らず、その他の材料にて形成してもよく、例えば、金属等により構成してもよい。
投射レンズ３は、複数のレンズを組み合わせた組レンズとして構成され、光学ユニット４にて形成されたカラー画像をスクリーン（図示略）上に拡大投射する。
【００１７】
光学ユニット４は、図１に示すように、外装筺体２の背面に沿って延出するとともに、外装筺体２の側面に沿って延出する平面視略Ｌ字形状を有し、前記制御装置による制御の下、光源から射出された光束を光学的に処理して画像情報に対応したカラー画像を形成するユニットである。この光学ユニット４は、図１に示すように、光源装置４１と、均一照明光学装置４２と、色分離光学装置４３と、リレー光学装置４４と、光学装置４５と、光学部品用筐体４６とを備える。
【００１８】
光源装置４１は、前記制御装置による制御の下、点灯し、均一照明光学装置４２に向けて光束を射出する。この光源装置４１は、図１に示すように、光源ランプ４１１およびリフレクタ４１２を有する光源装置本体４１Ａと、平行化レンズ４１３と、これら各部材４１１〜４１３を内部に収納するランプハウジング４１４とを備える。これら各部材４１１〜４１３は、光学部品用筐体４６に接続するランプハウジング４１４に収納配置されることで、光学部品用筐体４６に対する所定位置（光源装置４１から射出される光束の中心軸と光学部品用筐体４６内に設定された照明光軸Ａとが一致する位置）に位置決めされる。そして、光源ランプ４１１から射出された放射状の光束は、リフレクタ４１２にて反射され、平行化レンズ４１３を介して平行光とされる。
なお、図１では、リフレクタ４１２を、楕円面リフレクタとして構成していたが、これに限らず、光源ランプ４１１から射出された光束を略平行光として反射するパラボラリフレクタとして構成しても構わない。この場合には、平行化レンズ４１３を省略する。
【００１９】
均一照明光学装置４２は、光源装置４１から射出された光束を、光学装置４５を構成する後述する液晶パネルの画像形成領域に略均一に照明するための光学系である。この均一照明光学装置４２は、図１に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００２０】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２１】
色分離光学装置４３は、図１に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図１に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００２２】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２３】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２４】
光学装置４５は、入射した光束を画像情報に応じて変調して画像光（カラー画像）を形成するものである。この光学装置４５は、図１に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２５】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００２６】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２７】
光学部品用筐体４６は、内部に所定の照明光軸Ａ（図１）が設定された筺体であり、上述した各光学部品４２〜４５を照明光軸Ａに対する所定位置に収納配置する。
【００２８】
〔電源装置の構成〕
図２ないし図６は、電源装置５の構成を示す図である。具体的に、図２は、電源装置５を背面上方側から見た図である。図３は、電源装置５を前面上方側から見た図である。図４は、電源装置５を背面下方側から見た図である。図５は、電源装置５を前面下方側から見た図である。図６は、電源装置５を−Ｘ軸方向側から見た図である。
電源装置５は、図１に示すように、光学ユニット４の平面視Ｌ字内側部分に配設され、プロジェクタ１を構成する各構成要素に電力を供給する。この電源装置５は、図２ないし図６に示すように、電源回路基板５１および光源駆動回路基板５２（図２、図３、図６）の２体で構成される電子回路モジュール５Ａと、電源用筐体５３と、冷却ファン５４（図２、図４、図５）と、サーミスタ５５（図２、図３、図６）とを備える。
【００２９】
電源回路基板５１は、外部から図示しない電源ケーブルを介して商用電源から交流電力を入力し、交流電力を整流および平滑化して各構成要素（光源駆動回路基板５２、前記制御装置等）に必要な各種の電圧値の直流電力に変換して出力する。この電源回路基板５１は、図４または図６に示すように、トランス、半導体素子、チョークコイル、およびコンデンサ等の複数の回路素子５１１と、複数の回路素子５１１が実装される平面視矩形状のプリント配線基板５１２とで構成されている。
【００３０】
光源駆動回路基板５２は、電源回路基板５１からの直流電力に基づいて、光源ランプ４１１を点灯駆動させる。この光源駆動回路基板５２は、電源回路基板５１から入力した直流電圧を適切な直流電圧に降圧させるダウンチョッパ（チョッパ回路）、ダウンチョッパから供給される直流電流を所定の周波数の交流電流に変換して光源ランプ４１１に供給するインバータ（フルブリッジ回路）、および光源ランプ４１１の始動時に高電圧のパルス電圧を印加するイグナイタ（昇圧回路）等で構成されている。そして、この光源駆動回路基板５２は、図２、図３、または図６に示すように、前記各回路を構成するために、イグナイタトランス５２１Ａを含む複数の回路素子５２１と、複数の回路素子５２１が実装される平面視矩形状のプリント配線基板５２２とで構成されている。
なお、光源駆動回路基板５２を構成するプリント配線基板５２２は、図６に示すように、電源回路基板５１を構成するプリント配線基板５１２の平面形状よりも小さい平面形状となるように形成されている。
【００３１】
電源用筐体５３は、絶縁性の材料を射出成型等により形成した成形品であり、電源回路基板５１および光源駆動回路基板５２を支持して各基板５１，５２を一体化する。なお、電源用筐体５３を構成する絶縁性の材料としては、例えば、ＡＢＳ（アクリロニトリル−ブタジエン−スチレン共重合体）、ＰＣ（ポリカーボネート）、ＰＢＴ（ポリブチレンテレフタレート）、ＰＰＥ（ポリフェニレンエーテル）＋ＰＳ（ポリスチレン）等、若しくは、これら各樹脂にガラス繊維を添加した材料が採用できる。また、電源用筐体５３の厚みとしては、０．３ｍｍ〜２．０ｍｍの範囲に設定することが好ましい。
【００３２】
この電源用筐体５３は、図２ないし図６に示すように、基部５３１と、第１の支持部５３２と、第２の支持部５３３と、空気導入部５３４と、サーミスタ固定部５３５とを備える。
基部５３１は、図２ないし図６に示すように、ＸＺ平面に沿って延出する平面視矩形板状に形成されている。そして、この基部５３１は、図２ないし図６に示すように、その平面形状が各基板５１，５２の各プリント配線基板５１２，５２２の平面形状よりも大きく形成されている。
【００３３】
第１の支持部５３２は、図２または図３に示すように、基部５３１の＋Ｙ軸方向側に設けられ、光源駆動回路基板５２を支持固定する。より具体的に、第１の支持部５３２は、図２または図３に示すように、プリント配線基板５２２に実装される複数の回路素子５２１が＋Ｙ軸方向に位置し、プリント配線基板５２２の長手方向がＸ軸方向に向きかつ短手方向がＺ軸方向に向くように、光源駆動回路基板５２を支持固定する。この第１の支持部５３２は、図２ないし図５に示すように、支持部本体５３２Ａと、蓋状部５３２Ｂとを備える。
【００３４】
支持部本体５３２Ａは、図２または図３に示すように、基部５３１の＋Ｙ軸方向端面に立設され、光源駆動回路基板５２を支持固定する部分である。この支持部本体５３２Ａは、図２、図３、または図６に示すように、第１の側壁部５３２１と、第２の側壁部５３２２と、第３の側壁部５３２３と、支持受け部５３２４（図２、図６）とを備える。なお、第２の側壁部５３２２および第３の側壁部５３２３は、本発明に係る一対の光源駆動回路用側壁部に相当する。また、支持受け部５３２４は、本発明に係る光源駆動回路用支持受け部に相当する。
第１の側壁部５３２１は、図２または図３に示すように、基部５３１の＋Ｘ軸方向端縁からＹＺ平面に略平行して＋Ｙ軸方向に突出する平面視矩形板状に形成されている。そして、第１の側壁部５３２１は、Ｚ軸方向の長さ寸法が光源駆動回路基板５２を構成するプリント配線基板５２２の短手方向の長さ寸法と略同一に設定され、Ｙ軸方向の長さ寸法が光源駆動回路基板５２全体のＹ軸方向の長さ寸法よりも大きく設定されている。
【００３５】
第２の側壁部５３２２は、図２または図３に示すように、基部５３１の−Ｚ軸方向端縁からＸＹ平面に略平行して＋Ｙ軸方向に突出する平面視矩形板状に形成されている。また、第２の側壁部５３２２は、＋Ｘ軸方向端縁が第１の側壁部５３２１の−Ｚ軸方向端縁に接続する。そして、第２の側壁部５３２２は、Ｘ軸方向の長さ寸法が光源駆動回路基板５２を構成するプリント配線基板５２２の長手方向の長さ寸法と略同一に設定され、Ｙ軸方向の長さ寸法が第１の側壁部５３２１のＹ軸方向の長さ寸法と略同一に設定されている。
【００３６】
この第２の側壁部５３２２において、＋Ｚ軸方向端面の基端側（−Ｙ軸方向端縁近傍）には、図３、または図６に示すように、Ｙ軸方向に所定の間隔を空け、＋Ｚ軸方向に突出する一対の突起部５３２２Ａが形成されている。より具体的に、これら一対の突起部５３２２Ａは、プリント配線基板５２２の厚み寸法と略同一の寸法分の間隔を空けてＹ軸方向に並設されている。そして、一対の突起部５３２２Ａには、プリント配線基板５２２の−Ｚ軸方向端部が遊嵌状態で嵌合可能とする。
【００３７】
第３の側壁部５３２３は、図２または図３に示すように、平面視（Ｚ軸方向から見た場合）矩形板体形状を有し、＋Ｘ軸方向端縁が第１の側壁部５３２１の＋Ｚ軸方向端縁に接続し第２の側壁部５３２２に対向するように基部５３１の＋Ｙ軸方向端面に立設されている。また、第３の側壁部５３２３は、第２の側壁部５３２２の平面形状（Ｚ軸方向から見た平面形状）と略同一の平面形状を有するように形成されている。
すなわち、各側壁部５３２１〜５３２３は、電源用筐体５３に対して光源駆動回路基板５２を配設した状態で、光源駆動回路基板５２の３つの側端縁（＋Ｘ軸方向端縁、Ｚ軸方向両端縁）を囲むように形成されている。
【００３８】
この第３の側壁部５３２３において、−Ｙ軸方向側には、図２または図３に示すように、Ｘ軸方向両端部側に平面視（Ｚ軸方向から見た場合）矩形形状を有する開口部５３２３Ａがそれぞれ形成されている。
また、これら開口部５３２３Ａにおける＋Ｙ軸方向縁部分には、図２または図３に示すように、爪部５３２３Ｂがそれぞれ形成されている。
これら爪部５３２３Ｂは、図２に示すように、開口部５３２３Ａにおける＋Ｙ軸方向縁部からＸＹ平面に略平行して−Ｙ軸方向に突出する突出部５３２３Ｃと、突出部５３２３Ｃの突出方向先端部分からＸＺ平面に略平行して−Ｚ軸方向に突出する屈曲部５３２３Ｄとが一体的に構成され、平面視（Ｘ軸方向から見た場合）Ｌ字形状を有する板状に構成されている。そして、これら爪部５３２３Ｂは、電源用筐体５３の材料の剛性、および上述した形状により、突出部５３２３Ｃの基端部分が可撓性を有するものとなり、突出部５３２３Ｃの撓みによって屈曲部５３２３ＤがＺ軸方向に移動可能となる。
【００３９】
これら爪部５３２３Ｂにおいて、屈曲部５３２３Ｄの＋Ｙ軸方向端面には、図２に示すように、突出部５３２３Ｃおよび屈曲部５３２３ＤのＬ字内側部分に押圧受け部５３２３Ｅが形成されている。
この押圧受け部５３２３Ｅは、電源用筐体５３に対して光源駆動回路基板５２を配設する際に、光源駆動回路基板５２のプリント配線基板５２２に当接し、該プリント配線基板５２２から押圧される部分である。この押圧受け部５３２３Ｅは、図２に示すように、突出部５３２３Ｃの−Ｚ軸方向端面から屈曲部５３２３Ｄに沿って−Ｚ軸方向に突出し、ＸＹ平面に平行して延出する一対の板状に形成されている。また、この押圧受け部５３２３Ｅは、図２または図６に示すように、−Ｙ軸方向に向かうにしたがって突出方向の寸法（Ｚ軸方向の寸法）が次第に大きくなり、突出方向先端部に傾斜面５３２３Ｅ１を有する構成とされている。
【００４０】
支持受け部５３２４は、図２に示すように、基部５３１の＋Ｙ軸方向端面の各側壁部５３２１〜５３２３にて囲まれる領域において、第３の側壁部５３２３に形成された各爪部５３２３Ｂ近傍にそれぞれ立設されている。そして、これら支持受け部５３２４は、電源用筐体５３に対して光源駆動回路基板５２を配設した際に、光源駆動回路基板５２を−Ｙ軸方向から支持する部分である。
より具体的に、これら支持受け部５３２４は、図６に示すように、柱状軸がＹ軸方向に向く円柱形状を有し、先端部分５３２４Ａが基端部分５３２４Ｂに対して径寸法が小さく、段差部５３２４Ｃを有する段付き状に形成されている。そして、電源用筐体５３に対して光源駆動回路基板５２を配設した際には、図２または図６に示すように、プリント配線基板５２２に形成された一対の円孔５２２１（図２）に各支持受け部５３２４の先端部分５３２４Ａが挿通され、プリント配線基板５２２の−Ｙ軸方向端面が各支持受け部５３２４の段差部５３２４Ｃに当接する。
【００４１】
蓋状部５３２Ｂは、図２または図３に示すように、平面視矩形板状に形成され、各側壁部５３２１〜５３２３の＋Ｙ軸方向端部に着脱自在に構成される。そして、蓋状部５３２Ｂを各側壁部５３２１〜５３２３の＋Ｙ軸方向端部に取り付けることで、蓋状部５３２Ｂにて各側壁部５３２１〜５３２３の＋Ｙ軸方向側の開口部分が閉塞され、基部５３１、各側壁部５３２１〜５３２３、および蓋状部５３２Ｂにて囲まれ−Ｘ軸方向側が開口した空間Ａｒ１（図２、図３、図６）が形成される。
また、この蓋状部５３２Ｂにおいて、＋Ｚ軸方向側でかつ＋Ｘ軸方向側の角隅部分には、図３に示すように、−Ｙ軸方向に突出する整流部５３２Ｂ１が形成されている。
より具体的に、整流部５３２Ｂ１は、図３に示すように、蓋状部５３２Ｂを各側壁部５３２１〜５３２３の＋Ｙ軸方向端部に取り付けた状態で、空間Ａｒ１内に配設される。そして、整流部５３２Ｂ１は、図３に示すように、＋Ｚ軸方向に向かうにしたがって−Ｘ軸方向に向かうように傾斜した板体形状を有し、冷却ファン５４の駆動により、＋Ｚ軸方向に送風された空気を−Ｘ軸方向に整流する。
【００４２】
以上の構成により、作業者は、以下に示すように、電源用筐体５３（第１の支持部５３２）に対して光源駆動回路基板５２を設置する。
先ず、作業者は、複数の回路素子５２１が＋Ｙ軸方向に位置し、かつ、一対の円孔５２２１が＋Ｚ軸方向側に位置する状態で、プリント配線基板５２２における−Ｚ軸方向端部を＋Ｚ軸方向端部に対して−Ｙ軸方向側に位置するように傾斜させながら、光源駆動回路基板５２を空間Ａｒ１に挿入する。そして、作業者は、プリント配線基板５２２における一対の円孔５２２１を各支持受け部５３２４に合わせつつ、プリント配線基板５２２における−Ｚ軸方向端部を第２の側壁部５３２２の一対の突起部５３２２Ａに遊嵌状態で嵌合する。この状態では、プリント配線基板５２２は、＋Ｚ軸方向端部が第３の側壁部５３２３の一対の爪部５３２３Ｂにおける各傾斜面５３２３Ｅ１に当接し、一対の爪部５３２３Ｂの＋Ｙ軸方向側に位置した状態である。
【００４３】
次に、作業者は、プリント配線基板５２２における＋Ｚ軸方向端部を−Ｙ軸方向側に押圧する。この際、プリント配線基板５２２における＋Ｚ軸方向端部は、一対の爪部５３２３Ｂにおける各傾斜面５３２３Ｅ１に摺接しつつ−Ｙ軸方向に移動する。すなわち、傾斜面５３２３Ｅ１が−Ｙ軸方向（光源駆動回路基板５２の空間Ａｒ１への収納方向）に向かうにしたがって−Ｚ軸方向（第２の側壁部５３２２に近接する方向）に向かう傾斜面とされているので、一対の爪部５３２３Ｂは、プリント配線基板５２２における＋Ｚ軸方向端部の−Ｙ軸方向への移動に伴い、プリント配線基板５２２に押圧されて基端部分（突出部５３２３Ｃ）が撓み先端部分（屈曲部５３２３Ｄ）が＋Ｚ軸方向に次第に移動する。
【００４４】
そして、作業者がプリント配線基板５２２における＋Ｚ軸方向端部をさらに−Ｙ軸方向側に移動させると、一対の爪部５３２３Ｂの先端部分（屈曲部５３２３Ｄ）がさらに＋Ｚ軸方向に移動して、プリント配線基板５２２における＋Ｚ軸方向端部と傾斜面５３２３Ｅ１との当接状態が解除される。すなわち、プリント配線基板５２２から一対の爪部５３２３Ｂへの押圧状態が解除される。そして、一対の爪部５３２３Ｂは、基端部分（突出部５３２３Ｃ）の撓みが元に戻り、先端部分（屈曲部５３２３Ｄ）が−Ｚ軸方向に移動して、初期状態に設定される。
【００４５】
この状態では、プリント配線基板５２２の一対の円孔５２２１に各支持受け部５３２４の先端部分５３２４Ａが挿通され、プリント配線基板５２２の−Ｙ軸方向端面が各支持受け部５３２４の段差部５３２４Ｃに当接する。また、一対の爪部５３２３Ｂにおける各屈曲部５３２３Ｄの−Ｙ軸方向端面がプリント配線基板５２２の＋Ｙ軸方向端面に当接する。
すなわち、一対の突起部５３２２Ａ間と、各段差部５３２４Ｃおよび各屈曲部５３２３Ｄ間とにプリント配線基板５２２が挟持されることで光源駆動回路基板５２のＹ軸方向の移動が規制される。また、一対の円孔５２２１への各支持受け部５３２４の先端部分５３２４Ａの嵌合により、光源駆動回路基板５２のＸＺ平面内での移動が規制される。
【００４６】
第２の支持部５３３は、図４または図５に示すように、基部５３１の−Ｙ軸方向側に設けられ、電源回路基板５１を支持固定する。より具体的に、第２の支持部５３３は、図４または図５に示すように、プリント配線基板５１２に実装される複数の回路素子５１１が＋Ｙ軸方向に位置し、プリント配線基板５１２の長手方向がＸ軸方向に向きかつ短手方向がＺ軸方向に向くように、電源回路基板５１を支持固定する。この第２の支持部５３３は、図４または図５に示すように、上述した第１の支持部５３２の支持部本体５３２Ａと略同様の、第１の側壁部５３３１と、第２の側壁部５３３２と、第３の側壁部５３３３と、支持受け部５３３４とを備える。なお、第２の側壁部５３３２および第３の側壁部５３３３は、本発明に係る一対の電源回路用側壁部に相当する。また、支持受け部５３３４は、本発明に係る電源回路用支持受け部に相当する。
【００４７】
第１の側壁部５３３１は、図４または図５に示すように、上述した第１の側壁部５３２１と面一となるように、基部５３１の＋Ｘ軸方向端縁からＹＺ平面に略平行して−Ｙ軸方向に突出する平面視矩形板状に形成されている。そして、第１の側壁部５３３１は、Ｚ軸方向の長さ寸法が電源回路基板５１を構成するプリント配線基板５１２の短手方向の長さ寸法と略同一に設定され、Ｙ軸方向の長さ寸法が電源回路基板５１全体のＹ軸方向の長さ寸法よりも大きく設定されている。
【００４８】
第２の側壁部５３３２は、図４または図５に示すように、上述した第２の側壁部５３２２と面一となるように、基部５３１の−Ｚ軸方向端縁からＸＹ平面に略平行して−Ｙ軸方向に突出する平面視矩形板状に形成されている。また、第２の側壁部５３２２は、＋Ｘ軸方向端縁が第１の側壁部５３２１の−Ｚ軸方向端縁に接続する。そして、第２の側壁部５３２２は、Ｘ軸方向の長さ寸法が電源回路基板５１を構成するプリント配線基板５１２の長手方向の長さ寸法と略同一に設定され、Ｙ軸方向の長さ寸法が第１の側壁部５３３１のＹ軸方向の長さ寸法と略同一に設定されている。
【００４９】
この第２の側壁部５３３２において、＋Ｚ軸方向端面の先端部分（−Ｙ軸方向端縁近傍）には、図４ないし図６に示すように、上述した一対の突起部５３２２Ａと同様の一対の突起部５３３２ＡがＸ軸方向に所定の間隔を空けて２組形成されている。そして、各一対の突起部５３３２Ａには、プリント配線基板５１２の−Ｚ軸方向端部が遊嵌状態でそれぞれ嵌合可能とする。
【００５０】
第３の側壁部５３３３は、図２ないし図６に示すように、平面視（Ｚ軸方向から見た場合）矩形板体形状を有し、＋Ｘ軸方向端縁が第１の側壁部５３３１の＋Ｚ軸方向端縁に接続し第２の側壁部５３３２に対向するように基部５３１の＋Ｚ軸方向端縁からＸＹ平面に略平行して−Ｙ軸方向に突出する。また、第３の側壁部５３３３は、第２の側壁部５３３２の平面形状（Ｚ軸方向から見た平面形状）と略同一の平面形状を有するように形成されている。
すなわち、各側壁部５３３１〜５３３３は、電源用筐体５３に対して電源回路基板５１を配設した状態で、電源回路基板５１の３つの側端縁（＋Ｘ軸方向端縁、Ｚ軸方向両端縁）を囲むように形成されている。
【００５１】
この第３の側壁部５３３３において、−Ｙ軸方向端縁には、図４または図５に示すように、Ｘ軸方向両端部側に＋Ｙ軸方向側にかけて切り欠かれたコ字形状の切り欠き５３３３Ａがそれぞれ形成されている。
また、これら切り欠き５３３３Ａにおける＋Ｙ軸方向縁部分には、図４または図５に示すように、上述した爪部５３２３Ｂと略同様の爪部５３３３Ｂがそれぞれ形成されている。
より具体的に、これら爪部５３３３Ｂは、図４または図５に示すように、切り欠き５３３３Ａにおける＋Ｙ軸方向縁部からＸＹ平面に略平行して−Ｙ軸方向に突出する突出部５３３３Ｃと、突出部５３３３Ｃの突出方向先端部分からＸＺ平面に略平行して−Ｚ軸方向に突出する屈曲部５３３３Ｄとが一体的に構成され、平面視（Ｘ軸方向から見た場合）Ｌ字形状を有する板状に構成されている。そして、これら爪部５３３３Ｂは、電源用筐体５３の材料の剛性、および上述した形状により、突出部５３３３Ｃの基端部分が可撓性を有するものとなり、突出部５３３３Ｃの撓みによって屈曲部５３２３ＤがＺ軸方向に移動可能となる。
【００５２】
また、各屈曲部５３３３Ｄにおいて、−Ｙ軸方向側でかつ−Ｚ軸方向側の角隅部分は、図４または図６に示すように、面取り加工が施され、傾斜面５３３３Ｅを有する構成とされている。より具体的に、各傾斜面５３３３Ｅは、＋Ｙ軸方向に向かうにしたがって−Ｚ軸方向に向かう傾斜面とされている。
そして、各屈曲部５３３３Ｄの各傾斜面５３３３Ｅは、電源用筐体５３に対して電源回路基板５１を配設する際に、電源回路基板５１のプリント配線基板５１２に当接し、該プリント配線基板５１２から押圧される部分である。
【００５３】
ここで、第１の側壁部５３３１および第３の側壁部５３３３の接続部位には、図５に示すように、整流部５３３５が形成されている。
より具体的に、整流部５３３５は、電源用筐体５３１に対して電源回路基板５１を設置した状態で、基部５３１、各側壁部５３３１〜５３３３、および電源回路基板５１にて囲まれ−Ｘ軸方向側が開口した空間Ａｒ２（図４〜図６）に面して、＋Ｚ軸方向に向かうにしたがって−Ｘ軸方向に向かうように傾斜した平坦状の整流面（図示略）を有し、冷却ファン５４の駆動により、＋Ｚ軸方向に送風された空気を前記整流面にて−Ｘ軸方向に整流する。
【００５４】
支持受け部５３３４は、図４に示すように、基部５３１の−Ｙ軸方向端面の各側壁部５３３１〜５３３３にて囲まれる領域から、第３の側壁部５３３３に形成された各爪部５３３３Ｂ近傍に向けてそれぞれ立設されている。そして、これら支持受け部５３３４は、電源用筐体５３に対して電源回路基板５１を配設した際に、電源回路基板５１を＋Ｙ軸方向から支持する部分である。
より具体的に、これら支持受け部５３３４は、図６に示すように、柱状軸がＹ軸方向に向く円柱形状を有し、先端部分５３３４Ａが基端部分５３３４Ｂに対して径寸法が小さく、段差部５３３４Ｃを有する段付き状に形成されている。そして、電源用筐体５３に対して電源回路基板５１を配設した際には、図４ないし図６に示すように、プリント配線基板５１２に形成された一対の円孔５１２１に各支持受け部５３３４の先端部分５３３４Ａが挿通され、プリント配線基板５１２の＋Ｙ軸方向端面が各支持受け部５３３４の段差部５３３４Ｃに当接する。
【００５５】
以上の構成により、作業者は、以下に示すように、電源用筐体５３（第２の支持部５３３）に対して電源回路基板５１を設置する。
先ず、作業者は、複数の回路素子５１１が＋Ｙ軸方向に位置し、かつ、一対の円孔５１２１が＋Ｚ軸方向側に位置する状態で、プリント配線基板５１２における−Ｚ軸方向端部を＋Ｚ軸方向端部に対して＋Ｙ軸方向側に位置するように傾斜させながら、電源回路基板５１を空間Ａｒ２に挿入する。そして、作業者は、プリント配線基板５１２における一対の円孔５１２１を各支持受け部５３３４に合わせつつ、プリント配線基板５１２における−Ｚ軸方向端部を第２の側壁部５３３２の一対の突起部５３３２Ａに遊嵌状態で嵌合する。この状態では、プリント配線基板５１２は、＋Ｚ軸方向端部が第３の側壁部５３３３の一対の爪部５３３３Ｂにおける各傾斜面５３３３Ｅに当接し、一対の爪部５３３３Ｂの−Ｙ軸方向側に位置した状態である。
【００５６】
次に、作業者は、プリント配線基板５１２における＋Ｚ軸方向端部を＋Ｙ軸方向側に押圧する。この際、プリント配線基板５１２における＋Ｚ軸方向端部は、一対の爪部５３３３Ｂにおける各傾斜面５３３３Ｅに摺接しつつ＋Ｙ軸方向に移動する。すなわち、傾斜面５３３３Ｅが＋Ｙ軸方向（電源回路基板５１の空間Ａｒ２への収納方向）に向かうにしたがって−Ｚ軸方向（第２の側壁部５３３２に近接する方向）に向かう傾斜面とされているので、一対の爪部５３３３Ｂは、プリント配線基板５１２における＋Ｚ軸方向端部の＋Ｙ軸方向への移動に伴い、プリント配線基板５１２に押圧されて基端部分（突出部５３３３Ｃ）が撓み先端部分（屈曲部５３３３Ｄ）が＋Ｚ軸方向に次第に移動する。
【００５７】
そして、作業者がプリント配線基板５１２における＋Ｚ軸方向端部をさらに＋Ｙ軸方向側に移動させると、一対の爪部５３３３Ｂの先端部分（屈曲部５３３３Ｄ）がさらに＋Ｚ軸方向に移動して、プリント配線基板５１２における＋Ｚ軸方向端部と傾斜面５３３３Ｅとの当接状態が解除される。すなわち、プリント配線基板５１２から一対の爪部５３３３Ｂへの押圧状態が解除される。そして、一対の爪部５３３３Ｂは、基端部分（突出部５３３３Ｃ）の撓みが元に戻り、先端部分（屈曲部５３３３Ｄ）が−Ｚ軸方向に移動して、初期状態に設定される。
【００５８】
この状態では、プリント配線基板５１２の一対の円孔５１２１に各支持受け部５３３４の先端部分５３３４Ａが挿通され、プリント配線基板５１２の＋Ｙ軸方向端面が各支持受け部５３３４の段差部５３３４Ｃに当接する。また、一対の爪部５３３３Ｂにおける各屈曲部５３３３Ｄの＋Ｙ軸方向端面がプリント配線基板５１２の−Ｙ軸方向端面に当接する。
すなわち、一対の突起部５３３２Ａ間と、各段差部５３３４Ｃおよび各屈曲部５３３３Ｄ間とにプリント配線基板５１２が挟持されることで電源回路基板５１のＹ軸方向の移動が規制される。また、一対の円孔５１２１への各支持受け部５３３４の先端部分５３３４Ａの嵌合により、電源回路基板５１のＸＺ平面内での移動が規制される。
【００５９】
空気導入部５３４は、上述した各第２の側壁部５３２２，５３３２に形成され、冷却ファン５４を電源用筐体５３に固定するとともに、冷却ファン５４から送風される空気を空間Ａｒ１，Ａｒ２に導入する部分である。
ここで、冷却ファン５４は、図２、図４、または図５に示すように、ファンの回転軸に沿って空気を吸入および吐出する軸流ファンで構成され、前記制御装置により駆動制御される。
この空気導入部５３４は、図２または図４に示すように、各第２の側壁部５３２２，５３３２において、＋Ｘ軸方向側に位置し、各第２の側壁部５３２２，５３３２を跨るように形成されている。より具体的に、空気導入部５３４は、図２または図４に示すように、円孔５３４１（図２）と、固定枠状部５３４２とで構成されている。
【００６０】
円孔５３４１は、図２に示すように、各第２の側壁部５３２２，５３３２の表裏を貫通する円孔であり、冷却ファン５４における空気を吸入および吐出する際に空気が通過する通風口５４Ａと略同一の平面形状を有するように形成されたものである。
固定枠状部５３４２は、図２または図４に示すように、冷却ファン５４が固定される部分であり、円孔５３４１周縁部分から−Ｚ軸方向に突出する円形枠形状を有する枠状部５３４２Ａと、枠状部５３４２Ａの枠状外面に設けられ冷却ファン５４を固定するための一対の固定部５３４２Ｂとで構成されている。すなわち、冷却ファン５４の通風口５４ＡがＺ軸方向に沿うように冷却ファン５４を固定枠状部５３４２の−Ｚ軸方向端部に当接し、冷却ファン５４の一対の固定用孔５４Ｂを介して固定ねじ５４Ｃを固定部５３４２Ｂに螺合することで冷却ファン５４が空気導入部５３４に固定される。
【００６１】
そして、冷却ファン５４が駆動することで、冷却ファン５４から送風された空気は、枠状部５３４２Ａにて円孔５３４１に導かれ、円孔５３４１を介して空間Ａｒ１，Ａｒ２にそれぞれ導入される。
また、空間Ａｒ１に導入された空気は、＋Ｚ軸方向に流通し、蓋状部５３２Ｂの整流部５３２Ｂ１にて−Ｘ軸方向に整流される。そして、空間Ａｒ１に導入された空気は、−Ｘ軸方向に流通しながら、空間Ａｒ１に配設された光源駆動回路基板５２（複数の回路素子５２１、プリント配線基板５２２）を冷却する。
また、空間Ａｒ２に導入された空気も同様に、＋Ｚ軸方向に流通し、整流部５３３５にて−Ｘ軸方向に整流される。そして、空間Ａｒ２に導入された空気は、−Ｘ軸方向に流通しながら、空間Ａｒ２に配設された電源回路基板５１（複数の回路素子５１１、プリント配線基板５１２）を冷却する。
【００６２】
サーミスタ固定部５３５は、基部５３１の＋Ｙ軸方向端面に形成され、サーミスタ５５を電源用筐体５３に固定する部分である。
ここで、サーミスタ５５は、一般的なサーミスタであり、イグナイタトランス５２１Ａの温度（空間Ａｒ１において、イグナイタトランス５２１Ａ近傍を流通する空気の温度）を検出し、検出した温度に応じた信号を前記制御装置に出力する。
このサーミスタ固定部５３５は、図６に示すように、基部５３１の＋Ｙ軸方向端面において、Ｘ軸方向から見た場合に、イグナイタトランス５２１Ａの一部に平面的に干渉する位置に形成されている。より具体的に、このサーミスタ固定部５３５は、図２、図３、または図６に示すように、一対の起立片５３５１，５３５２と、一対の起立片５３５１，５３５２を連結する一対の連結部５３５３，５３５４とが一体的に構成されたものである。
【００６３】
一対の起立片５３５１，５３５２は、図２、図３、または図４に示すように、サーミスタ５５のＺ軸方向の外形寸法と略同一の寸法分、離間した状態で、基部５３１の＋Ｙ軸方向端面からＸＹ平面に略平行するように立設する板体状に形成されている。また、一対の起立片５３５１，５３５２は、図２、図３、または図６に示すように、Ｙ軸方向の長さ寸法が−Ｘ軸方向に向かうにしたがって次第に小さくなり、Ｚ軸方向から見た場合に平面視略台形形状を有する。
これら一対の起立片５３５１，５３５２のうち、−Ｚ軸方向に位置する起立片５３５１の＋Ｙ軸方向端縁には、図２または図３に示すように、−Ｙ軸方向側にかけて切り欠かれたコ字形状の切り欠き５３５１Ａが形成されている。
また、この切り欠き５３５１Ａにおける−Ｙ軸方向縁部分には、図２、図３、または図６に示すように、上述した爪部５３２３Ｂ，５３３３Ｂと略同様の爪部５３５１Ｂが形成されている。
【００６４】
この爪部５３５１Ｂは、図６に示すように、切り欠き５３５１Ａにおける−Ｙ軸方向縁部からＸＹ平面に略平行して＋Ｙ軸方向に突出する突出部５３５１Ｃと、突出部５３５１Ｃの突出方向先端部分から突出部５３５１Ｃに略直交して突出する屈曲部５３５１Ｄとが一体的に構成され、平面視（Ｘ軸方向から見た場合）Ｌ字形状を有する板状に構成されている。そして、この爪部５３５１Ｂは、電源用筐体５３の材料の剛性、および上述した形状により、突出部５３５１Ｃの基端部分が可撓性を有するものとなり、突出部５３５１Ｃの撓みによって屈曲部５３５１ＤがＺ軸方向に移動可能となる。
【００６５】
また、屈曲部５３５１Ｄにおいて、＋Ｙ軸方向側でかつ＋Ｚ軸方向側の角隅部分は、図６に示すように、面取り加工が施され、傾斜面５３５１Ｅを有する構成とされている。より具体的に、傾斜面５３５１Ｅは、−Ｙ軸方向に向かうにしたがって＋Ｚ軸方向に向かう傾斜面とされている。
そして、屈曲部５３５１Ｄの傾斜面５３５１Ｅは、電源用筐体５３に対してサーミスタ５５を配設する際に、サーミスタ５５に当接し、該サーミスタ５５から押圧される部分である。
【００６６】
一対の連結部５３５３，５３５４は、図２ないし図６に示すように、サーミスタ５５のＸ軸方向の外形寸法と略同一の寸法分、離間した状態で、一対の起立片５３５１，５３５２の各＋Ｙ軸方向端部をそれぞれ連結する。
すなわち、上述した形状により、一対の起立片５３５１，５３５２の各＋Ｙ軸方向端部、および一対の連結部５３５３，５３５４にて囲まれる傾斜部としての開口部５３５Ａにサーミスタ５５が嵌合可能とする。
これら一対の連結部５３５３，５３５４において、互いに対向する各側端部には、図２または図３に示すように、＋Ｚ軸方向側でかつ＋Ｙ軸方向側から互いに近接する方向に突出する第１の突出部５３５３Ａ，５３５４Ａがそれぞれ形成されている。
また、これら一対の連結部５３５３，５３５４において、互いに対向する各側端部には、具体的な図示は省略したが、各第１の突出部５３５３Ａ，５３５４Ａに対して−Ｙ軸方向にオフセットし、かつ、各第１の突出部５３５３Ａ，５３５４Ａよりも−Ｚ軸方向側に、互いに近接する方向に突出する第２の突出部がそれぞれ形成されている。
【００６７】
以上の構成により、作業者は、以下に示すように、電源用筐体５３（サーミスタ固定部５３５）に対してサーミスタ５５を設置する。
先ず、作業者は、サーミスタ５５における＋Ｚ軸方向端部を−Ｚ軸方向端部に対して−Ｙ軸方向側に位置するように傾斜させ、＋Ｚ軸方向端部を各第１の突出部５３５３Ａ，５３５４Ａと図示しない各前記第２の突出部との隙間に挿通しつつ、起立片５３５２の−Ｚ軸方向端面に当接する。この状態では、サーミスタ５５は、−Ｚ軸方向端部が起立片５３５１の爪部５３５１Ｂにおける傾斜面５３５１Ｅに当接し、爪部５３５１Ｂの＋Ｙ軸方向側に位置した状態である。
【００６８】
次に、作業者は、サーミスタ５５における−Ｚ軸方向端部を−Ｙ軸方向側に押圧する。この際、サーミスタ５５における−Ｚ軸方向端部は、爪部５３５１Ｂにおける傾斜面５３５１Ｅに摺接しつつ−Ｙ軸方向に移動する。すなわち、傾斜面５３５１Ｅが−Ｙ軸方向に向かうにしたがって＋Ｚ軸方向に向かう傾斜面とされているので、爪部５３５１Ｂは、サーミスタ５５における−Ｚ軸方向端部の−Ｙ軸方向の移動に伴い、サーミスタ５５に押圧されて基端部分（突出部５３５１Ｃ）が撓み先端部分（屈曲部５３５１Ｄ）が−Ｚ軸方向に次第に移動する。
【００６９】
そして、作業者がサーミスタ５５における−Ｚ軸方向端部をさらに−Ｙ軸方向側に移動させると、爪部５３５１Ｂの先端部分（屈曲部５３５１Ｄ）がさらに−Ｚ軸方向に移動して、サーミスタ５５における−Ｚ軸方向端部と傾斜面５３５１Ｅとの当接状態が解除される。すなわち、サーミスタ５５から爪部５３５１Ｂへの押圧状態が解除される。そして、爪部５３５１Ｂは、基端部分（突出部５３５１Ｃ）の撓みが元に戻り、先端部分（屈曲部５３５１Ｄ）が＋Ｚ軸方向に移動して、初期状態に設定される。
【００７０】
この状態では、サーミスタ５５の−Ｙ軸方向端面が図示しない各前記第２の突出部に当接する。また、サーミスタ５５の＋Ｙ軸方向端面が各第１の突出部５３５３Ａ，５３５４Ａと爪部５３５１Ｂにおける屈曲部５３５１Ｄの−Ｙ軸方向端面とに当接する。
すなわち、サーミスタ５５は、開口部５３５Ａに遊嵌状態で嵌合するとともに、Ｙ軸方向両端面が図示しない各前記第２の突出部と、各第１の突出部５３５３Ａ，５３５４Ａおよび爪部５３５１Ｂの屈曲部５３５１Ｄとにより挟持固定される。
そして、電源用筐体５３に対してサーミスタ５５を設置した状態では、開口部５３５Ａが閉塞され、基部５３１、一対の起立片５３５１，５３５２、およびサーミスタ５５にて囲まれ、Ｘ軸方向両側が開口しＸ軸方向に空気を流通可能とする空気流通路Ｃ（図６）が形成される。この空気流通路Ｃは、上述したように、冷却ファン５４が駆動することで空間Ａｒ１に導入され−Ｘ軸方向に流通する空気のうち、イグナイタトランス５２１Ａ近傍を流通した空気が流通する。
また、開口部５３５Ａに対してサーミスタ５５を設置した状態では、開口部５３５Ａの上述した形状により、サーミスタ５５は、空気流通路Ｃにおける空気の流通方向（Ｘ軸方向）に対して傾斜した状態（−Ｘ軸方向に向かうにしたがって−Ｙ軸方向に向かう傾斜状態）で配設される。そして、サーミスタ５５は、空気流通路Ｃを流通する空気の温度（イグナイタトランス５２１Ａの温度）を検出し、検出した温度に応じた信号を前記制御装置に出力する。
【００７１】
上述した実施形態によれば、以下の効果がある。
本実施形態では、電源装置５において、電子回路モジュール５Ａを収納配置する電源用筐体５３は、基部５３１と、第２の側壁部５３２２，５３３２および第３の側壁部５３２３，５３３３と、支持受け部５３２４，５３３４とを備える。そして、第２の側壁部５３２２，５３３２および第３の側壁部５３２３，５３３３には、一対の突起部５３２２Ａ，５３３２Ａと、爪部５３２３Ｂ，５３３３Ｂとが形成されている。このことにより、従来のようにねじ等の固定部材を用いることなく、電源用筐体５３に対して電子回路モジュール５Ａを固定することができ、簡単な構成で電源装置５の組み立ておよび分解を容易に実施できる。
【００７２】
また、爪部５３２３Ｂ，５３３３Ｂには、空間Ａｒ１，Ａｒ２への電子回路モジュール５Ａの収納方向に向かうにしたがって次第に第２の側壁部５３２２，５３３２に近接するように傾斜した傾斜面５３２３Ｅ１，５３３３Ｅが形成されている。このことにより、電源装置５を組み立てる作業者は、プリント配線基板５１２，５２２を押圧するだけで爪部５３２３Ｂ，５３３３Ｂに触れることなく爪部５３２３Ｂ，５３３３Ｂの先端部分を移動させ、電源用筐体５３に対して電子回路モジュール５Ａを設置できる。このため、電源装置５を組み立てる作業効率をより向上させることができる。
【００７３】
ここで、電子回路モジュール５Ａは、電源回路基板５１および光源駆動回路基板５２の２体で構成され、これに対応して電源用筐体５３に２つの各支持部５３２，５３３が設けられている。そして、各支持部５３２，５３３は、基部５３１のＹ軸方向両端面にそれぞれ形成されている。このことにより、電源回路基板５１および光源駆動回路基板５２は、基部５３１を挟んで積層された状態で電源用筐体５３に設置されることとなる。このため、電源回路基板５１および光源駆動回路基板５２に対応して、２つの電源用筐体を設ける必要がなく、単体の電源用筐体５３に電源回路基板５１および光源駆動回路基板５２を収納配置できる。また、単体の電源用筐体５３に電源回路基板５１および光源駆動回路基板５２を積層した状態で収納配置できるため、電源装置５の小型化が図れる。
【００７４】
また、電源用筐体５３は、基部５３１の側端部を跨るように冷却ファン５４を固定可能とする空気導入部５３４を備えているので、冷却ファン５４から吐出された空気を基部５３１の＋Ｙ軸方向側に配設される光源駆動回路基板５２、および基部５３１の−Ｙ軸方向側に配設される電源回路基板５１の双方に送風でき、電子回路モジュール５Ａを効率的に冷却できる。
【００７５】
さらに、電源用筐体５３は、サーミスタ５５を固定するためのサーミスタ固定部５３５を備えている。このことにより、プリント配線基板５２２にサーミスタを実装する必要がないため、光源駆動回路基板５２の設計の自由度を低減させることがない。また、サーミスタ固定部５３５が基部５３１の＋Ｙ軸方向端面において、Ｘ軸方向から見た場合に、イグナイタトランス５２１Ａの一部に平面的に干渉する位置に形成され、空気流通路Ｃが、略筒状内部の空間に形成されているため、温度の検出対象とするイグナイタトランス５２１Ａ近傍を流通する空気のみをサーミスタ固定部５３５に流通させることができ、他の空気が混じることを抑制でき、サーミスタ５５にてイグナイタトランス５２１Ａの温度を精度良く検出できる。
さらに、サーミスタ５５は、サーミスタ固定部５３５に対して、空気流通路Ｃにおける空気の流通方向に対して傾斜した状態で配設される。このため、サーミスタ５５の特性上、例えば空気流通路Ｃに略平行にサーミスタ５５を固定する構成ではサーミスタ５５にて空気の温度検出が困難なものとなるところ、サーミスタ５５を空気流通路Ｃに対して傾けることでサーミスタ５５にて空気の温度検出を良好に実施させることができる。
【００７６】
なお、本発明は前述の実施形態に限定されるものではなく、本発明の目的を達成できる範囲での変形、改良等は本発明に含まれるものである。
前記実施形態では、電子回路モジュール５Ａとして、電源回路基板５１および光源駆動回路基板５２の２体で構成していたが、これに限らず、１つのプリント配線基板上に複数の回路素子を実装して光源駆動回路基板および電源回路基板の機能を単体で構成しても構わない。
【００７７】
前記実施形態では、爪部５３２３Ｂ，５３３３Ｂに傾斜面５３２３Ｅ１，５３３３Ｅが形成されていたが、これに限らず、傾斜面５３２３Ｅ１，５３３３Ｅを形成しない構成としても構わない。
前記実施形態では、電源回路基板５１および光源駆動回路基板５２は、プロジェクタ１の厚み方向（Ｙ軸方向）に積層配置された構成とされていたが、これに限らず、厚み方向に直交する平面内に並列配置する構成としても構わない。この場合には、電源用筐体５３において、第１の支持部５３２および第２の支持部５３３を基部５３１の同一の端面に形成する。
【００７８】
前記実施形態では、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
前記実施形態では、色合成光学装置としてクロスダイクロイックプリズム４５４を採用していたが、これに限らず、ダイクロイックミラーを複数用いることで各色光を合成する構成を採用してもよい。
【００７９】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
【００８０】
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００８１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８２】
本発明は、電源装置の組み立ておよび分解を容易に実施できるため、プレゼンテーションやホームシアタに用いられるプロジェクタの電源装置として利用できる。
【図面の簡単な説明】
【００８３】
【図１】本実施形態におけるプロジェクタの概略構成を模式的に示す図。
【図２】前記実施形態における電源装置の構成を示す図。
【図３】前記実施形態における電源装置の構成を示す図。
【図４】前記実施形態における電源装置の構成を示す図。
【図５】前記実施形態における電源装置の構成を示す図。
【図６】前記実施形態における電源装置の構成を示す図。
【符号の説明】
【００８４】
１・・・プロジェクタ、３・・・投射レンズ（投射光学装置）、５・・・電源装置、５Ａ・・・電子回路モジュール、４１・・・光源装置、５１・・・電源回路基板、５２・・・光源駆動回路基板、５３・・・電源用筐体、５４・・・冷却ファン、５５・・・サーミスタ、４５１・・・液晶パネル（光変調装置）、５１１，５２１・・・回路素子、５１２，５２２・・・プリント配線基板、５３１・・・基部、５３４・・・空気導入部、５３５・・・サーミスタ固定部、５３５Ａ・・・開口部（傾斜部）、５３２２・・・第２の側壁部（光源駆動回路用側壁部）、５３２２Ａ，５３３２Ａ・・・突起部、５３２３・・・第３の側壁部（光源駆動回路用側壁部）、５３２３Ｂ，５３３３Ｂ・・・爪部、５３２３Ｅ１，５３３３Ｅ・・・傾斜面、５３２４・・・支持受け部（光源駆動回路用支持受け部）、５３３２・・・第２の側壁部（電源回路用側壁部）、５３３３・・・第３の側壁部（電源回路用側壁部）、５３３４・・・支持受け部（電源回路用側壁部）、Ａｒ１，Ａｒ２・・・空間。
【図１】
2008191271.tif 000003
【図２】
2008191271.tif 000004
【図３】
2008191271.tif 000005
【図４】
2008191271.tif 000006
【図５】
2008191271.tif 000007
【図６】
2008191271.tif 000008